(57)【特許請求の範囲】
【請求項１】
袋の口部を案内する案内通路の先端に設けられた結束部を挟んでその一方に、門形の結束用クリップを保持してこのクリップの脚片を袋の口部を内側に取り込むようにして交差させる交差手段を有する送りユニットを設けるとともに、送りユニットを搭載したキャリアを送り手段によってクリップの送り方向に移動させ、移動時に上記交差手段を作動させるとともに、送り手段の移動の途中でキャリアの送り作動を停止する袋結束機における送りユニットの送り停止機構であって、
上記送り手段には、その移動方向と直交する方向と送り側に傾く方向とを向くように回動可能なリンクを配置し、このリンクの先端を上記キャリアに上記移動方向と直交する方向に形成した長溝に係合し、上記リンクを送り側に傾く方向を向くようにバネ付勢して、送り手段が移動するときに上記リンクが長溝の縁を押してキャリアを移動させ、送り手段の移動中にキャリアが所定の位置で停止したときは、上記リンクの先端を上記バネに抗して上記長溝に沿って移動しながら上記送り手段の移動方向と直交する方向に回動させる
ことを特徴とする袋結束機における送りユニットの送り停止機構。
【発明の詳細な説明】
【０００１】
【発明の属する技術分野】
本発明は手動式袋結束機における送りユニットの送り停止機構に関する。
【０００２】
【従来技術】
この種の袋結束機は、結束すべき袋の袋口を結束部に移動配置した後、合成樹脂製の門形クリップを結束部に送り込み、クリップの両側の脚片を交差させ、さらに交差部をかしめることにより袋口を結束するものが知られている。そして、最近は従来の電動モータによって作動させる方式のものに代わって、手動によるハンドル操作によってクリップ送り、脚片交差、かしめという３つの動作を行なわせる手動式袋結束機が提案されている。これは、送りユニットとかしめユニットとを別個に設け、送りユニットにクリップを保持させるとともに、ハンドル操作によって移動する送り手段を設け、送り手段の移動の前半で送りユニットを移動させてクリップの送りと脚片の交差とを行なわせ、後半の移動でかしめユニットを作動させるものである。ハンドルを一方向に往動させるときに上記３動作が順次行なわれ、ハンドルを逆方向に復動させることにより、逆の動作が行なわれて初期位置に復帰させるように構成されている。
【０００３】
【発明が解決しようとする課題】
ところで、送りユニットはクリップの脚片を交差させた後は停止している必要がある。しかし、送りユニットの送り手段はかしめユニットを作動させるためにさらに移動しなければならない。
【０００４】
本発明は上記問題点を解消し、簡単な構造によって送り手段の移動を継続させると同時に送りユニットの送りを停止させることができる袋結束機における送りユニットの送り停止機構を提供することをその課題とする。
【０００５】
【課題を解決するための手段】
前記課題を解決するため、本発明に係る袋結束機における送りユニットの送り停止機構は、袋の口部を案内する案内通路の先端に設けられた結束部を挟んでその一方に、門形の結束用クリップを保持してこのクリップの脚片を袋の口部を内側に取り込むようにして交差させる交差手段を有する送りユニットを設けるとともに、送りユニットを搭載したキャリアを送り手段によってクリップの送り方向に移動させ、移動時に上記交差手段を作動させるとともに、送り手段の移動の途中でキャリアの送り作動を停止する袋結束機における送りユニットの送り停止機構であって、上記送り手段には、その移動方向と直交する方向と送り側に傾く方向とを向くように回動可能なリンクを配置し、このリンクの先端を上記キャリアに上記移動方向と直交する方向に形成した長溝に係合し、上記リンクを送り側に傾く方向を向くようにバネ付勢して、送り手段が移動するときに上記リンクが長溝の縁を押してキャリアを移動させ、送り手段の移動中にキャリアが所定の位置で停止したときは、上記リンクの先端を上記バネに抗して上記長溝に沿って移動しながら上記送り手段の移動方向と直交する方向に回動させることを特徴とする。
【０００６】
【発明の実施の形態】
図１は本発明に係る手動式袋結束機の概要を示す側面図、図２はその平面図である。符号１はベース、２は支柱、３は結束機本体、４はハンドルを示す。ハンドル４の基端は支柱２に設けられた回動軸５に支持され、回動軸５には第１のリンク６が固定され、さらに第１のリンク６はＹ字形に連結されたリンク７に連結されている。Ｙ字形リンク７の二股部分の一方の端部８は支柱２に固定され、他方の端部９は送り手段１０に連結されている。また、ハンドル４は回動軸５に設けられた捩りコイルバネにより常時図１に実線で示す初期位置にあるように付勢している。
【０００７】
送り手段１０は送り板１０ａとその一側に設けられた送りバー１０ｂとから構成され、結束機本体３に一定の範囲で前後に移動可能に設けられている。送り板１０ａ上には板状のキャリア１４が一定の範囲で前後方向に移動可能に配置されている。キャリア１４の後端には外方に突出する突片１２が形成され、キャリア１４は図２に示す初期位置と上記突片１２がガイドレール１３の後端部に係合する位置（図３の位置）との間を前進後退することができるように設けられている。
【０００８】
そして、図４(a) に詳しく示されるように、上記送り手段１０には、その移動方向と直交する方向と送り側に傾く方向とを向くように支軸２１を中心に回動可能なリンク２２を配置し、このリンク２２の先端に設けたローラ２２ａをキャリア１４に形成した長溝２３に係合させている。長溝２３はキャリア１４の移動方向と直交する方向に形成されている。そして、上記リンク２２を送り側に傾く方向を向くようにバネ２４により付勢している。これにより、送り手段１０が移動するときに上記リンク２２が長溝２３の縁２３ａを押してキャリア１４を移動させ、キャリア１４が所定の位置で停止したときは、上記リンク２２を上記バネ２４に抗して回動しながら上記長溝２３に沿って上記移動方向と直交する方向に移動させるように構成されている。
【０００９】
次に、キャリア１４上には送りユニット１１が搭載されている。送りユニット１１はクリップの保持部１１ａと交差用作動リンク支持部１１ｂと後端部１１ｃと作動プレート１８とを含む。保持部１１ａは図３に示されるように、連結クリップの先頭のクリップａの脚片１５を保持するように形成されている。交差用作動リンク支持部１１ｂには作動リンク１７が回動自在に支持され、この作動リンク１７は作動プレート１８に軸着された１対のＬ字形リンク２０と連結して交差手段１６を構成している。作動プレート１８は送りユニット１１の他の部材とは異なる範囲と異なるタイミングで送り手段１０と連動するように構成されている。なお、作動リンク１７の先端のピンはクリップａの脚片１５の係合孔３６（図７参照）に係合するように形成されている。なお、作動プレート１８は送りユニット１１の前進が停止した後に送り手段１０に係合してＬ字形リンク２０を作動させるように構成されている。
【００１０】
なお、上記手動式袋結束機には、図７に示されるように、多数の門形の結束用クリップａをテープ状に連結した連結クリップが使用される。ただし、本実施態様においては、その一部のみを示した。
【００１１】
また、結束機本体３には袋ｂの口部Ｍを案内する案内通路３１が形成され、その先端には結束部２５が設けられている。
【００１２】
次に、結束部２５をはさんで送りユニット１１の反対側にはかしめユニット２６が設けられている。このかしめユニット２６は、特願平１１ー０６７４５２号の図３に示されたドライバプレート２７に設けられたローラ３８が結束部２５側に移動することにより交差されたクリップａの脚片１５の先端をかしめるもので、かしめた後は図６のようになるのであるが、かしめ機構の説明はここでは省略する。
【００１３】
ところで、上記送り手段１０は作動バー２８を介してかしめ機構２９に連結されている。すなわち、送り手段１０の側部に一体に設けられた送りバー１０ｂの両端には凸部３０ａ、３０ｂが形成されている。また、上記送りバー１０ｂの側部には下向きに開口する門形の作動バー２８が送り手段１０と平行に移動可能に設けられている。作動バー２８の一方の脚部３２は切欠きされ、この切欠き部３３の間に上記送りバー１０ｂの前側の凸部３０ｂが係合可能に進入している。さらに、作動バー２８の前端部と上記ドライバプレート２７とはリンク３４で連結されている。リンク３４の中央部は支軸３５によって回転自在に支持されている。
【００１４】
次に、上記構成の袋結束機の作動態様について説明すると、図２に示したように結束機本体３の案内通路３１から結束部２５に野菜やパンなどを収納した袋ｂの口部Ｍを挿入した後、ハンドル４を一方向に回動操作して送り手段１０を移動させると、送り手段１０に設けられたリンク２２がキャリア１４の長溝２３の縁を押して送りユニット１１を前進させ、その先端の保持部１１ａに保持されたクリップａは結束部２５に送り込まれる。キャリア１４が一定の範囲だけ移動すると図３及び図４(b) に示すようにキャリア１４の突片１２はガイドレール１３の後端部に係合するから、キャリア１４は停止し、送りユニット１１も前進を停止する。さらにハンドル４を回し続けると、送り手段１０は前進し、これに伴って作動プレート１８も前進するので、交差手段１６を作動させる。すなわち、作動プレート１８がＬ字形リンク２０を押して作動リンク１７の先端を近接するように作動させるので、作動リンク１７のピンがクリップａの脚片１５を交差させる。作動プレート１８の両側突片１９はガイドレール１３の係合突部３７に係合し、それ以上は前進しない。
【００１５】
ところで、上述のようにキャリア１４が移動を停止するにも拘らず、送り手段１０は移動し続けるときは、図４(c) に示されるように、上記リンク２２は上記バネ２４に抗して上記長溝２３に沿って移動しながら上記送り手段１０の移動方向と直交する方向に回動する。
【００１６】
そして、上述のようにクリップａの脚片１５を交差させるための動作が行なわれる直前に、送り手段１０の送りバー１０ｂの後端凸部３０ａが作動バー２８の脚部３２の後端に係合するので、送り手段１０の前進移動に連動して作動バー２８が前進作動する。これにより、図４(c) 及び図５に示すようにリンク３４が支軸３５を中心にして揺動するから、かしめユニット２６のドライバプレート２７を逆方向に移動させるので、かしめ機構２９が作動し、交差した脚片１５がかしめられ、ハンドル４の作動も停止する。
【００１７】
かしめが終了した後、ハンドル４を逆方向に回転させると、送り手段１０も後退移動するので、上述とは逆に作動プレート１８が交差手段１６を解除作動させ、さらに送りユニット１１を結束部２５から退避動させて図２に示すように元の位置に復帰移動させる。その途中で送り手段１０の送りバー１０ｂの前端の凸部３０ｂが作動バー２８の脚部３２に係合するので、作動バー２８が作動してかしめ機構２９を解除させる。そして、図４(a) に示すように、送り手段１０の後退移動に伴ってリンク２２はバネ２４によりキャリア１４の長溝２３に沿って戻り方向に移動し、初期位置に復帰する。結束が終了した袋ｂは案内通路３１から排出すればよい。図６はクリップａにより袋口Ｍが結束された状態の袋ｂを示す。３９はかしめ部である。
【００１８】
上述のように、基本的にはリンク２２と長溝２３とバネ２４から構成される簡単な構造によって、送り手段１０の移動を継続させると同時に送りユニット１１の送りを確実に停止させることができる。したがって、コストも低く抑えることができる。
【図面の簡単な説明】
【図１】本発明に係る手動式袋結束機の概要を示す側面図
【図２】上記袋結束機の概要を示す平面図
【図３】前進時に送りユニットを結束部に送った状態を示す平面図
【図４】  (a) (b) (c) は本発明に係る送りユニットの送り停止機構の作動態様説明図
【図５】前進時にかしめユニットを作動させた状態を示す平面図
【図６】袋口が結束された状態の袋の斜視図
【図７】連結クリップの一部の斜視図
【符号の説明】
ａ  クリップ
４  ハンドル
１０  送り手段
１１  送りユニット
１４  キャリア
２２  リンク
２３  長溝
【図１】
0004078772.tif 000002
【図２】
0004078772.tif 000003
【図３】
0004078772.tif 000004
【図４】
0004078772.tif 000005
【図５】
0004078772.tif 000006
【図６】
0004078772.tif 000007
【図７】
0004078772.tif 000008